(57)【要約】【課題】空調制御システムのファンのノイズ又は振動の体感を低減させる。【解決手段】燃料電池１０に冷却液を循環させることによって燃料電池１０の冷却を行う冷却装置と、室外熱交換器４０により車両の外気と冷媒との熱交換により車両の車室内の空調を制御する空調制御装置と、を含み、冷却装置と空調制御装置との間において熱交換が可能であり、燃料電池１０の温度又は温度の推定値に基づいて室外熱交換器４０のファンの回転数を制御する。【選択図】図１
2008094184.tif 000002
【特許請求の範囲】
【請求項１】
燃料電池に冷却液を循環させることによって当該燃料電池の冷却を行う冷却装置と、
室外熱交換器により車両の外気と冷媒との熱交換により車両の車室内の空調を制御する空調制御装置と、を含み、
前記冷却装置と前記空調制御装置との間において熱交換が可能である空調制御システムであって、
前記燃料電池の温度又は温度の推定値に基づいて前記室外熱交換器のファンの回転数を制御することを特徴とする空調制御システム。
【請求項２】
請求項１に記載の空調制御システムにおいて、
前記燃料電池の温度又は温度の推定値が高いほど前記ファンの回転数を低く制御することを特徴とする空調制御システム。
【請求項３】
請求項１又は２に記載の空調制御システムであって、
前記冷却液の温度に基づいて前記燃料電池の温度の推定値を求めることを特徴とする空調制御システム。
【請求項４】
請求項１又は２に記載の空調制御システムであって、
前記燃料電池の停止前の温度と前記燃料電池の停止時間との関係に基づいて前記燃料電池の温度の推定値を求めることを特徴とする空調制御システム。
【請求項５】
請求項１に記載の空調制御システムであって、
外気温に基づいて前記ファンの回転数を制御することを特徴とする空調制御システム。
【発明の詳細な説明】
【技術分野】
【０００１】
本発明は、燃料電池を利用した空調制御システムに関する。
【背景技術】
【０００２】
燃料電池は、低温時では十分な発電能力を得ることができない。このため、燃料電池の始動時などの低温時において、燃料電池の電力でその冷却水を加熱して燃料電池を暖機する技術がある（例えば、特許文献１参照）。また、燃料電池システムには、燃料電池を運転に適した温度に保つために、冷却水を循環させて、燃料電池で生じた不要な熱をラジエータで放熱する冷却装置が設けられる。
【０００３】
一方、燃料電池をその動力源として利用する移動体(例えば、ハイブリッド自動車や電気自動車)には、室内の冷暖房を行う空調制御装置が搭載される。空調制御装置には、例えば、低温側の熱を高温側に移動させる蒸気圧縮式ヒートポンプを利用するものがある(例えば、特許文献２参照)。
【０００４】
燃料電池システムと空調制御装置とを独立したシステムとして移動体に搭載すると、部品点数の増加、重量の増大、エネルギーのロスといった問題が生ずる。これらは、移動体の燃費が悪化する一要因となる。また、移動体への搭載スペースには限りがある。
【０００５】
そこで、特許文献３〜７には、燃料電池システムで生じる熱を空調制御装置で利用したり、排熱したりする技術が提案されている。例えば、燃料電池スタックの発生熱を暖房用熱交換器により回収して暖房装置の熱源として利用する技術がある(例えば、特許文献３参照)。また、燃料電池の冷却水をヒータコアに通水して暖房を行う車両用空調装置において、燃料電池で発生した燃料電池で不要な熱量が空調に必要な熱量よりも小さいときは、不足する熱量を補うように電気ヒータを発熱制御する技術がある(例えば、特許文献４参照)。また、燃料電池本体からの余った熱を空調機システムが備える放熱器で大気に放出させる技術がある(例えば、特許文献５参照)。また、回生ブレーキで発生する余剰電力で燃料電池の冷却水を加熱することで余剰電力を消費し、燃料電池の冷却水の熱を空調に利用するシステムがある(例えば、特許文献６参照)。
【０００６】
【特許文献１】特開平７−９４２０２号公報
【特許文献２】特開２００３−４２６０４号公報
【特許文献３】特開平６−２６０１９６号公報
【特許文献４】特開２００１−３１５５２４号公報
【特許文献５】特開２００３−１３０４９１号公報
【特許文献６】特許第３３５３２９９号公報
【特許文献７】特開２００３−１４６０５６号公報
【発明の開示】
【発明が解決しようとする課題】
【０００７】
空調制御装置では、外気温が比較的高いときや低いときにエアコンプレッサの出力を大きくする必要がある。特に、冬場の外気温が低いときの車両の始動時等では、空調制御装置によって暖房を行う際にエアコンプレッサの出力を高くする必要がある。このような場合、空調制御装置のラジエータに付設されたファンの回転数を高くする必要があり、ユーザにとって不快なノイズや振動等が発生することがある。
【０００８】
本発明は、上記課題を鑑み、ノイズや振動を抑制した空調制御システムを提供することを目的とする。
【課題を解決するための手段】
【０００９】
本発明は、燃料電池に冷却液を循環させることによって当該燃料電池の冷却を行う冷却装置と、室外熱交換器により車両の外気と冷媒との熱交換により車両の車室内の空調を制御する空調制御装置と、を含み、前記冷却装置と前記空調制御装置との間において熱交換が可能である空調制御システムであって、前記燃料電池の温度又は温度の推定値に基づいて前記室外熱交換器のファンの回転数を制御することを特徴とする。
【００１０】
具体的には、前記燃料電池の温度又は温度の推定値が高いほど前記ファンの回転数を低く制御することが好適である。前記冷却液の温度に基づいて前記燃料電池の温度の推定値を求めてもよい。また、前記燃料電池の停止前の温度と前記燃料電池の停止時間との関係に基づいて前記燃料電池の温度の推定値を求めてもよい。
【００１１】
また、外気温に基づいて前記ファンの回転数を制御してもよい。
【発明の効果】
【００１２】
本発明に係る空調制御システムでは、条件に応じてファンの回転数が抑制され、ノイズ及び振動のユーザの実体感を軽減することができる。
【発明を実施するための最良の形態】
【００１３】
〔構成〕
図１は、本発明における空調制御システムの構成を示すブロック図である。空調制御システムは、燃料電池システム及び空調制御装置を含んで構成される。 HYPERLINK "http://www8.ipdl.ncipi.go.jp/Tokujitu/tjitemdrw.ipdl?N0000=235&N0500=4E#N/;%3E7?:6:8%3C///&N0001=147&N0552=9&N0553=000003" \t "tjitemdrw" 図１には、車両に搭載された燃料電池システム及び空調制御装置が示されている。燃料電池システムは、車両の駆動力となる電力を発電するものである。また、空調制御装置は、車両の室内の温度を調整するためのものである。
【００１４】
〈燃料電池システム〉
燃料電池システムは、燃料電池１０及び燃料電池１０の冷却装置を含んで構成される。
【００１５】
燃料電池１０は、それぞれが発電の単位となる複数の単セルが積層されて構成される。各セルは、電解質と、電解質を両側から挟む燃料極(アノード)及び空気極(カソード)と、燃料極及び空気極を挟む燃料極側セパレータ及び空気極側セパレータを含んで構成される。
【００１６】
燃料極は、拡散層と触媒層とを有する。燃料極には、水素ガス等の燃料ガスが燃料供給装置（図示しない）により供給される。燃料極に供給された燃料ガスは、拡散層で拡散され触媒層に到達する。触媒層では、酸化反応により水素がプロトン(水素イオン)と電子とに分離される。水素イオンは電解質を通って空気極に移動し、電子は外部回路を通って空気極に移動する。
【００１７】
空気極は、拡散層と触媒層とを有する。空気極には、空気等の酸化剤ガスが酸化剤供給装置（図示しない）により供給される。空気極に供給された酸化剤ガスは、拡散層で拡散され触媒層に到達する。触媒層では、酸化剤ガスと、電解質を通って空気極に到達した水素イオンと、外部回路を通って空気極に到達した電子とによる還元反応が生ずる。これにより水が生成される。
【００１８】
また、燃料極における酸化反応と空気極における還元反応の際に、外部回路を通る電子が燃料電池１０のセルスタックの両端子間に接続される負荷に対する電力として取り出される。
【００１９】
燃料電池１０では、発電に伴って熱が発生する。一方、燃料電池１０での電気化学反応には適した温度があり、燃料電池１０の運転がそれに適した温度で行われるように、燃料電池１０には冷却装置が併設される。冷却装置としては、一般的に、燃料電池１０に設けられている冷却液通路へ冷却液を循環させる方法が採られる。
【００２０】
本実施の形態における冷却装置は次のように構成される。燃料電池１０には、燃料電池１０の冷却液通路に通じる冷却液の入口及び出口が設けられる。冷却液の入口は、配管Ａを介して、冷却液を循環させる循環ポンプ(ウォータポンプ)１２の出口に接続されている。一方、燃料電池１０の冷却液の出口は、配管Ｂを介して、冷却液を冷却するラジエータ(冷却器)１６の入口に接続されている。
【００２１】
また、ラジエータ１６の冷却液の出口は、配管Ｃを介して三方弁１８の第２の入口に接続されている。配管Ｂには、その途中から分岐するバイパス管Ｄの一端が接続されている。バイパス管Ｄの他端は、三方弁１８の第１の入口に接続されている。また、三方弁１８の出口は、配管Ｅを介して循環ポンプ１２の入口に接続されている。
【００２２】
このように、冷却装置は、冷却液がラジエータ１６を経由して循環する第１の循環路と、冷却液がラジエータ１６を経由することなくバイパス管Ｄを通って循環する(冷却器をバイパスする)第２の循環路とを含む。第１及び第２の循環路を流れる冷却液の量は、燃料電池１０の温度に応じて三方弁１８により調整される。
【００２３】
具体的には、配管Ａ，Ｂ，Ｃには、燃料電池１０から排出される冷却液の温度を検知する温度センサ２０が設置されており、この温度センサ２０で検知される冷却液温度に従って、三方弁１８の動作が制御される。
【００２４】
例えば、第１及び第２の入口の冷却液温度が燃料電池１０の暖機を要すると認められる第１の温度を下回る場合には、三方弁１８の第１の入口が開かれ、かつ、第２の入口が閉じられて、冷却液がラジエータ１６により冷やされないようにされる。また、燃料電池が安定して運転できる上限温度を冷却液温度が超える場合には、三方弁１８の第１の入口が閉じられ、かつ、第２の入口が開かれて、冷却液がラジエータ１６により冷却される。
【００２５】
また、燃料電池１０の冷却液の入口と出口に跨るように、イオン交換器２２が設けられる。イオン交換器２２は、燃料電池の冷却装置を循環する冷却液に含まれる不純物を除去して冷却液を浄化する。これにより、冷却液の電気的な絶縁耐圧を高めることができる。
【００２６】
さらに、冷却装置は、空調制御装置と複合化するための配管系を含んで構成される。三方弁２４の第１の入口は配管Ｂに接続されており、三方弁２４の第２の入口は配管Ｆを介して配管Ｅに接続されると共に発熱体付き熱交換器１４の冷却液出口に接続されている。三方弁２４の出口は、配管Ｇを介して、循環ポンプ２６の入口に接続される。循環ポンプ２６の出口は、配管Ｈを介して、第１室内熱交換器（室内ガスクーラＧＣ）２８の熱伝達部の入口に接続される。第１室内熱交換器２８の熱伝達部の出口は、配管Ｉを介して、発熱体付き熱交換器１４の入口に接続される。第１室内熱交換器２８は、室内に送り出される空気の通路３０上に配置されており、循環ポンプ２６から送られてくる冷却液と送風機３２によって室内に送り出される空気との熱交換を行う。
【００２７】
〈空調制御装置〉
車室内の空調制御装置は、次のように構成されている。冷媒を吸入圧縮する電動コンプレッサ(圧縮機)３４の出口は、配管ａを介して、冷房用電磁弁３６の入口に接続される。冷房用電磁弁３６の出口は、配管ｂを介して、暖房用膨張弁３８の入口に接続される。暖房用膨張弁３８の出口は、配管ｃを介して、室外熱交換器４０の入口に接続されている。
【００２８】
また、配管ａの途中には、配管ａから分岐するように配管ｄが接続されており、配管ｄは発熱体付き熱交換器１４の冷媒入口に接続されている。発熱体付き熱交換器１４の冷媒出口は、配管ｅを介して、配管ｂの中間に接続されている。このように、電動コンプレッサ３４と室外熱交換器４０との間には、並列な二つの冷媒流路が設けられた状態となっている。そして、冷房用電磁弁３６の開弁／閉弁動作により、二つの冷媒流路を流れる冷媒の量が調整されるように構成されている。
【００２９】
室外熱交換器４０の出口は、配管ｆを介して、内部熱交換器４２の室外側冷媒入口に接続されている。内部熱交換器４２は、室外熱交換器４０からの冷媒と、電動コンプレッサ３４に吸入される冷媒とを熱交換する。内部熱交換器４２の室外側冷媒出口は、配管ｇを介して冷房用膨張弁４４の入口に接続されている。冷房用膨張弁４４の出口は、配管ｈを介して第２室内熱交換器(エバポレータ)４６の入口に接続されている。
【００３０】
第２室内熱交換器４６は、空気の通路３０上において、第１室内熱交換器２８よりも空気の流れの上流側に配置されており、室内に送り出すべき空気と冷媒とを熱交換する。第２室内熱交換器４６の出口は、配管ｉを介して、アキュムレータ(気液分離器)４８の入口に接続されている。アキュムレータ４８は、冷媒通路(ヒートポンプ)を循環する冷媒を気相冷媒と液相冷媒とに分離して液相冷媒を流出する。アキュムレータ４８の出口は、配管ｊを介して内部熱交換器４２の室内側冷媒入口に接続されており、内部熱交換器４２の室内側冷媒出口は、配管kを介して電動コンプレッサ３４の入口に接続されている。
【００３１】
また、配管ｉの中間部分には、バイパス管ｍの一端が接続されており、その他端は暖房用電磁弁５０の入口に接続されている。暖房用電磁弁５０の出口は、バイパス管ｎを介して内部熱交換器４２の室外側冷媒入口に接続されている。
【００３２】
なお、空気の通路３０内には、室内外から導入される空気を空気流れの下流側へ送り出す送風機３２が設けられている。また、第１室内熱交換器２８には、第１室内熱交換器２８を通過する空気の量を調整するためのエアミックスドア（図示しない）が取り付けられている。エアミックスドアの開度が大きくなるほど、第１室内熱交換器２８を通過する空気の量が増加するように構成されている。
【００３３】
なお、発熱体付き熱交換器１４は、通電により発熱するヒータを有する発熱体（図示しない）と、冷却液流路を有する冷却液側部５２と、冷媒流路を有する冷媒側部５４とを備えている。冷却液流路を流れる冷却液、及び冷媒流路を流れる冷媒の夫々は、発熱体の発熱により加熱されるように構成されている。また、冷却液流路を流れる冷却液と冷媒流路を流れる冷媒との間で熱交換が行われるように構成されている。
【００３４】
〈制御部〉
次に、上述した燃料電池システム及び空調制御装置を制御する構成について説明する。 HYPERLINK "http://www8.ipdl.ncipi.go.jp/Tokujitu/tjitemdrw.ipdl?N0000=235&N0500=4E#N/;%3E7?:6:8%3C///&N0001=147&N0552=9&N0553=000003" \t "tjitemdrw" 図１に示すように、実施形態に係る車両には、燃料電池１０と、燃料電池１０に対して並列に接続された蓄電池６０と、車両の駆動力を供給する電動機(モータ)６２と、その駆動回路６４と、燃料電池１０や蓄電池６０からの電力を駆動回路６４に供給し、電動機６２の作動を制御する制御部６６とを備えている。
【００３５】
電動機６２は、車両の減速時(車両のブレーキが作動したとき等)において、一時的に発電機として使用される。これにより、車両に回生ブレーキがかかるように構成されている。回生ブレーキによって生じた回生エネルギー(回生電力)は、蓄電池６０で回収されるように構成されており、蓄電池６０で回収しきれない余剰電力は、発熱体の発熱により消費されるように構成されている。
【００３６】
制御部６６は、燃料電池１０及び蓄電池６０と駆動回路６４との間に設けられている。制御部６６は、電力供給線を介して発熱体付き熱交換器１４の各発熱体（図示しない）に接続されている。制御部６６は、燃料電池１０や蓄電池６０からの直流電力を交流電力に変換するインバータ(図示しない)や、燃料電池システム及び空調制御装置の各部からの信号を受け取り、燃料電池システム及び空調制御装置の制御を行う制御装置(ＥＣＵ(Electric  Control  Unit))６８などから構成されている。
【００３７】
蓄電池残存容量計７０は、蓄電池６０の端子に接続される。蓄電池残存容量計７０は、蓄電池の電圧や電流の計測値に基づいて蓄電池６０の充電率を制御部６６へ送信する。制御部６６は、蓄電池６０の充電率を監視するように構成されている。回生ブレーキによる電力が発生した場合に、充電率が所定値を上回っていない場合には、制御部６６は、駆動回路６４から受け取る回生ブレーキにより生じた電力(電流)を蓄電池６０側に流して蓄電池６０を充電し、充電率が所定値を上回っている場合には、当該電力(電流)を発熱体付き熱交換器１４の発熱体側に流して発熱体を発熱させるように構成されている。
【００３８】
ＥＣＵ６８は、ＣＰＵ(Central  Processing  Unit)，メモリ，入出力インタフェースなどから構成されており、メモリに記憶された所定の制御プログラムを実行することによって、発熱体の発熱のオン／オフ制御を行うとともに、このオン／オフ制御に関連した燃料電池１０の温度調整、室内暖房、余剰な回生エネルギーの消費に係る処理を行う。また、三方弁１８，２４、冷房用電磁弁３６、暖房用膨張弁３８、冷房用膨張弁４４及び暖房用電磁弁５０の開閉又は開度調整を行う。さらに、ラジエータ１６のファンの回転数、室外熱交換器４０のファンの回転数及び送風機３２の風量を制御する。
【００３９】
また、燃料電池１０には温度センサ７２が設けられる。温度センサ７２は、燃料電池１０の温度Ｔを検出し、ＥＣＵ６８へ検出した温度Ｔを送信する。
【００４０】
また、車両には車速センサ７４が設けられる。車速センサ７４はＥＣＵ６８に接続される。車速センサ７４は、車両の速度Ｓを検出し、ＥＣＵ６８へ検出した速度Ｓを送信する。
【００４１】
［空調制御方法］
本発明の実施の形態における空調制御方法について、図２のフローチャートを参照して説明する。空調制御は、空調制御システムを起動すると共に処理が開始される。
【００４２】
ステップＳ１０では、空調制御システムにおいて暖房運転が行われるか、冷房運転が行われるかが判定される。制御部６６に含まれるＥＣＵ６８は、車室内等に設けられている空調制御のコントロールパネルのスイッチ操作に応じた制御信号を受けて、複合システムの空調制御装置に対して暖房運転や冷房運転が指令されているか否かを判定する。
【００４３】
ＥＣＵ６８は、冷房運転が指示されている場合にはステップＳ１２へ処理を移行させ、暖房運転が指示されている場合にはステップＳ１４へ処理を移行させる。暖房及び冷房のいずれも指示されていない場合には判定を定期的に繰り返す。
【００４４】
ステップＳ１２では、複合システムにより冷房運転が実行される。制御部６６のＥＣＵ６８は、冷房用電磁弁３６を開弁させると共に暖房用電磁弁５０を閉弁させる。さらに、ＥＣＵ６８は、冷房用膨張弁４４を動作させると共に暖房用膨張弁３８を停止させる。これにより、電動コンプレッサ３４からの冷媒が発熱体付き熱交換器１４を経由することなく、また、暖房用膨張弁３８の影響を受けることなく室外熱交換器４０に到達する状態となる。また、室外熱交換器４０からの冷媒が冷房用膨張弁４４を通って第２室内熱交換器４６へ案内される状態となる。
【００４５】
このような状態において、電動コンプレッサ３４が冷媒を圧縮して配管ａに送り出すことにより、冷媒は、冷房用電磁弁３６→暖房用膨張弁３８→室外熱交換器４０→内部熱交換器４２→冷房用膨張弁４４→第２室内熱交換器４６→アキュムレータ４８→内部熱交換器４２→電動コンプレッサ３４の順で循環する。
【００４６】
また、ＥＣＵ６８は、通路３０に設けられたエアミックスドアを閉じられた状態に制御する。これにより、通路３０を流れる空気が第１室内熱交換器２８を通過しないように車室へ誘導される。
【００４７】
さらに、ＥＣＵ６８は、三方弁２４へ制御信号を送り、配管Ｆと配管Ｇとが繋がり、配管Ｂと配管Ｇとが遮断された状態となるように三方弁２４を切り替える。これにより、燃料電池の冷却装置の冷却液循環系と空調制御装置の冷媒循環系とが切り離された状態となる。
【００４８】
このとき、室外熱交換器４０において、室外空気と冷媒との熱交換により放熱が行われる。また、第２室内熱交換器４６において、室内に送り出されるべき空気と冷媒との熱交換により、冷媒が空気から熱を奪って蒸発する。これによって、冷やされた空気が室内に送り出される。一方、冷却液は、循環ポンプ２６→第１室内熱交換器２８→発熱体付き熱交換器１４→三方弁２４→循環ポンプ２６の順に、燃料電池１０の冷却とは無関係の循環経路を流通する。
【００４９】
なお、冷房時には、燃料電池１０が連続運転であるか間欠運転であるかに関わらず、燃料電池の冷却装置によって冷却液通路へ冷却液を循環させられ、燃料電池１０の冷却が行われる。また、燃料電池１０が停止されている場合には、燃料電池１０への燃料ガス（水素等）の供給及び酸化剤ガス（空気等）の供給を行うポンプと共に、循環ポンプ１２が停止させられる。これによって、複合システム全体のエネルギー消費が抑制される。
【００５０】
ステップＳ１４では、燃料電池１０の温度に応じてファンの回転特性が選択される。ＥＣＵ６８は、燃料電池１０に設けられている温度センサ７２によって燃料電池１０の温度Ｔを測定する。ＥＣＵ６８は、燃料電池１０の温度Ｔに応じて、室外熱交換器４０のファン回転特性を選択する。
【００５１】
ファン回転特性は、図３に示すように、室外熱交換器４０のファンの回転数と車速との関係を示すものである。ファン回転特性は、車速が遅くなるにつれてファンの回転数が低下するように設定される。例えば、図３に示すように、所定の車速ＳＴまでは最低ファン回転数から単調増加する傾向を示し、所定の車速ＳＴ以上では最大ファン回転数Ｂとなるように設定される。
【００５２】
また、ファン回転特性における最低ファン回転数は、燃料電池１０の温度Ｔに応じて設定される。燃料電池１０の温度Ｔが高くなるにつれて、燃料電池１０の冷却装置から空調制御装置へ供給できる排熱が大きくなるので、空調制御装置のエアコンプレッサ３４の回転数を抑えることができる、そこで、図３に示すように、燃料電池１０の温度Ｔが高くなるにつれて、最低ファン回転数を低く設定したファン回転特性を選択する。例えば、温度Ｔ１＜Ｔ２の場合、最低ファン回転数Ａ１＞Ａ２とする。
【００５３】
ステップＳ１６では、車速に基づいてファン回転数が決定される。ＥＣＵ６８は、車速センサ７４によって測定された現在の車速Ｓを受信し、ステップＳ１６で選択したファン回転特性においてその車速Ｓに対応するファンの回転数Ｎを求める。ＥＣＵ６８は、室外熱交換器４０のファンへ回転数制御信号を送信し、ファンが回転数Ｎで回転するように制御する。
【００５４】
本実施の形態では、車両の速度Ｓが閾値ＳＴ以上では、燃料電池１０の温度Ｔによらず最大ファン回転数Ｂで制御される。一方、車両の速度Ｓが閾値ＳＴ未満では、速度Ｓが遅いほどファンの回転数Ｎが小さくなるように制御される。また、ファン回転特性は燃料電池１０の温度Ｔに基づいて決定されており、閾値ＳＴ未満においては同じ車速では温度Ｔが高いほど回転数Ｎが低くなるように制御される。
【００５５】
ステップＳ１８では、暖房運転が実行される。制御部６６のＥＣＵ６８は、冷房用電磁弁３６を閉弁させると共に暖房用電磁弁５０を開弁させる。さらに、ＥＣＵ６８は、冷房用膨張弁４４を停止させると共に暖房用膨張弁３８を動作させる。これにより、電動コンプレッサ３４からの冷媒が発熱体付き熱交換器１４を経由すると共に、暖房用膨張弁３８の動作を受けて室外熱交換器４０に到達する状態となる。また、室外熱交換器４０からの冷媒が暖房用電磁弁５０を通って、第２室内熱交換器４６へ案内されることなくアキュムレータ４８へ案内される。
【００５６】
このような状態において、電動コンプレッサ３４が冷媒を圧縮して配管ａに送り出すことにより、冷媒は、熱交換器１４→暖房用膨張弁３８→室外熱交換器４０→暖房用電磁弁５０→アキュムレータ４８→内部熱交換器４２→電動コンプレッサ３４の順で循環する。
【００５７】
また、ＥＣＵ６８は、通路３０に設けられたエアミックスドアを開いた状態に制御する。これにより、通路３０を流れる空気が第１室内熱交換器２８を通過した上で車室へ誘導される。
【００５８】
ＥＣＵ６８は、温度センサ２０等により測定された燃料電池１０の温度が所定の温度ＴＲ以上であると判断される場合、三方弁２４に制御信号を送信し、配管Ｂと配管Ｇとが繋がり、配管Ｆと配管Ｇとが遮断された状態となるように三方弁２４を切り替える。このように、燃料電池１０の運転状態に応じて、燃料電池１０からの排熱が大きいと判断される場合には、燃料電池の冷却液の循環経路と空調制御装置の冷媒循環経路とが熱的に接続される。
【００５９】
このとき、燃料電池１０の出口から出た冷却液の一部は、三方弁２４、循環ポンプ２６、第１室内熱交換器２８、熱交換器１４を通って循環ポンプ１２により再び燃料電池１０へ戻される。このとき、第１室内熱交換器２８によって、送風機３２によって車室へ送り込まれる空気に燃料電池１０からの排熱が伝達され、車室が暖気される。また、熱交換器１４では、冷却液から空調制御装置を循環する冷媒に熱が伝達される。
【００６０】
一方、温度センサ２０等により測定された燃料電池１０の温度が所定の温度ＴＲ未満であると判断される場合、三方弁２４に制御信号を送信し、配管Ｆと配管Ｇとが繋がり、配管Ｂと配管Ｇとが遮断された状態となるように三方弁２４を切り替える。このように、燃料電池１０からの排熱が小さいと判断される場合には、燃料電池の冷却液の循環経路と空調制御装置の冷媒循環経路とが熱的に遮断される。
【００６１】
このとき、燃料電池１０の出口から出た冷却液はラジエータ１６により冷却されて、循環ポンプ１２によって再び燃料電池１０へ戻される。一方、第１室内熱交換器２８を流れる冷却液は、循環ポンプ２６により第１室内熱交換器２８、熱交換器１４、三方弁２４を通って循環ポンプ２６に戻ってくる。
【００６２】
なお、本実施の形態では、温度センサ２０により燃料電池１０の温度を検出して処理するものとしたが、これに限定されるものではない。例えば、燃料電池１０に温度センサを設置して、燃料電池１０の温度を直接測定するものとしてもよい。
【００６３】
以上のように、暖房時に、燃料電池１０の冷却装置の冷却液循環系と空調制御装置の冷媒循環系との間で熱交換可能とする。これによって、燃料電池１０からの排熱を車室の空調の暖気に用いることが可能となる。
【００６４】
さらに、燃料電池１０の温度Ｔ及び車両の車速Ｓに基づいて室外熱交換器４０のファンの回転数Ｎが制御されているので、車速Ｓが遅い場合のノイズや振動を従来よりも抑制することができる。
【００６５】
＜変形例＞
上記実施の形態では、燃料電池１０に設けられている温度センサ７２によって燃料電池１０の実温度を測定し、実温度に応じてファンの回線数Ｎを制御するものとしたが、これに限定されるものではない。
【００６６】
上記ステップＳ１６において、燃料電池１０の冷却液の循環経路に設けられた温度センサ２０によって燃料電池１０の冷却液出口付近での冷却液の温度を測定し、その測定温度に基づいて燃料電池１０の温度を推定し、その推定温度に基づいてファン回転特性を選択してファンの回転数Ｎを制御してもよい。
【００６７】
また、燃料電池１０を一旦停止させたのちに再起動する際の暖房運転の制御を行う場合には、燃料電池１０の停止前の温度Ｔと燃料電池１０の停止時間との関係から燃料電池１０の温度Ｔを推定して、その推定温度に基づいてファン回転特性を選択してファンの回転数Ｎを制御してもよい。
【００６８】
また、図４に示すように、空調制御システムに外気温センサ７６を設け、車室外の気温Ｔｘに基づいてファンの回転数Ｎを制御してもよい。具体的には、図５に示すように、気温Ｔｘに応じてファン回転特性を予め設定しておき、ＥＣＵ６８は、外気温Ｔｘに応じて室外熱交換器４０のファン回転特性を選択する。
【００６９】
ファン回転特性は、図５に示すように、室外熱交換器４０のファンの回転数と車速との関係を示すものである。図３と同様に、ファン回転特性は、車速が遅くなるにつれてファンの回転数が低下するように設定される。また、ファン回転特性における最低ファン回転数は、外温度Ｔｘに応じて設定される。外温度Ｔｘが所定の温度ＴＲ１より低い場合の暖房、又は、所定の温度ＴＲ２より高い場合の冷房では、ファンの回転数によるノイズ等の影響よりも車室内の空調の出力を高める必要があるので、車速が閾値ＳＴよりも遅い場合には外温度Ｔｘに応じたファン回転数に制御する。
【図面の簡単な説明】
【００７０】
【図１】本発明の実施の形態における空調制御システムの構成を示す図である。
【図２】本発明の実施の形態における空調制御方法のフローチャートである。
【図３】本発明の実施の形態におけるファン回転特性を示す図である。
【図４】本発明の変形例における空調制御システムの構成を示す図である。
【図５】本発明の変形例におけるファン回転特性を示す図である。
【符号の説明】
【００７１】
１０  燃料電池、１２  循環ポンプ（メイン循環ポンプ）、１４  熱交換器、１６  ラジエータ、１８，２４  三方弁、２０  温度センサ、２２  イオン交換器、２６  循環ポンプ、２８  室内熱交換器、３０  通路、３２  送風機、３４  電動コンプレッサ（エアコンプレッサ）、３６  冷房用電磁弁、３８  暖房用膨張弁、４０  室外熱交換器、４２  内部熱交換器、４４  冷房用膨張弁、４６  室内熱交換器、４８  アキュムレータ、５０  暖房用電磁弁、５２  冷却液側部、５４  冷媒側部、６０  蓄電池、６２  電動機、６４  駆動回路、６６  制御部、７０  蓄電池残存容量計、７２  温度センサ、７４  車速センサ、７６  外気温センサ。
【図１】
2008094184.tif 000003
【図２】
2008094184.tif 000004
【図３】
2008094184.tif 000005
【図４】
2008094184.tif 000006
【図５】
2008094184.tif 000007